(57)【要約】      （修正有）【課題】空調機本体と表面カバーとの固定状態に異常が生じた場合に、異常が生じたことを使用者に気付かせることができる技術を提供する。【解決手段】壁掛式空調機１は、空調機本体３と、表面カバー４とを備える。空調機本体は、壁面に固定される。表面カバーは、空調機本体を覆うように取り付けられる。また、表面カバーは、空調機本体への固定部４５を備え、固定部によって空調機本体に固定されることにより空調機本体に取り付けられた第１の状態となる。そして、空調機本体は、固定部が空調機本体から外れた場合に、第１の状態よりも表面カバーが前方に傾いた第２の状態で表面カバーを係止する係止部３６を備える。【選択図】図２
2019168142.tif 000002
【特許請求の範囲】
【請求項１】
壁面に固定される空調機本体と、
前記空調機本体を覆うように取り付けられる表面カバーと
を備え、
前記表面カバーは、
前記空調機本体への固定部を備え、該固定部によって前記空調機本体に固定されることにより前記空調機本体に取り付けられた第１の状態となり、
前記空調機本体は、
前記固定部が前記空調機本体から外れた場合に、前記第１の状態よりも前記表面カバーが前方に傾いた第２の状態で前記表面カバーを係止する係止部
を備える、壁掛式空調機。
【請求項２】
前記固定部は、
前記表面カバーの上部に配置される、請求項１に記載の壁掛式空調機。
【請求項３】
前記係止部は、
弾性を有する板状の基部と、
前記基部から突出し、前記第２の状態において前記表面カバーと当接することによって前記表面カバーを係止する本体側突起部と
を備え、
前記空調機本体は、
前記係止部の少なくとも片側に配置された剛性部材
を備える、請求項１または２に記載の壁掛式空調機。
【請求項４】
前記剛性部材の先端は、
前記係止部の先端よりも前方に突出している、請求項３に記載の壁掛式空調機。
【請求項５】
前記係止部は、
前記空調機本体の上部に配置され、
前記表面カバーは、
前記空調機本体の上方を覆う上面パネルと、
前記上面パネルの下面から下方に突出し、前記第２の状態において前記本体側突起部に当接するカバー側突起部と
を備える、請求項３または４に記載の壁掛式空調機。
【請求項６】
前記係止部は、
前記空調機本体の中心に対して左右方向にずれた位置に配置される、請求項５に記載の壁掛式空調機。
【請求項７】
前記表面カバーは、
前記空調機本体の前方を覆う前面パネル
を備え、
前記空調機本体は、
前記表面カバーと前記空調機本体とによって形成される内部空間に空気を取り込むファン
を備え、
前記ファンの吸込口は、
前記前面パネルと対向する位置に開口する、請求項１〜６のいずれか一つに記載の壁掛式空調機。
【発明の詳細な説明】
【技術分野】
【０００１】
本開示は、壁掛式空調機に関する。
【背景技術】
【０００２】
従来、室内の暖房、送風、換気といった空気調整を行う空調機の一種として、壁掛式空調機が知られている（たとえば、特許文献１参照）。
【０００３】
壁掛式空調機は、各種機器を収容する空調機本体と、空調機本体の周囲を覆う表面カバーとを備えており、表面カバーは、空調機本体に前面側から装着され、ネジ等によって空調機本体に固定される。
【先行技術文献】
【特許文献】
【０００４】
【特許文献１】特許第５１９５７０６号公報
【発明の概要】
【発明が解決しようとする課題】
【０００５】
本開示は、空調機本体と表面カバーとの固定状態に異常が生じた場合に、異常が生じたことを使用者に気付かせることができる技術を提供する。
【課題を解決するための手段】
【０００６】
本開示の一態様に係る壁掛式空調機は、壁面に固定される空調機本体と、前記空調機本体を覆うように取り付けられる表面カバーとを備え、前記表面カバーは、前記空調機本体への固定部を備え、該固定部によって前記空調機本体に固定されることにより前記空調機本体に取り付けられた第１の状態となり、前記空調機本体は、前記固定部が前記空調機本体から外れた場合に、前記第１の状態よりも前記表面カバーが前方に傾いた第２の状態で前記表面カバーを係止する係止部を備える。
【０００７】
仮に固定部が空調機本体から外れた場合、表面カバーは、第１の状態よりも表面カバーが前方に傾いた第２の状態で係止部に係止される。これにより、表面カバーの落下を防止することができるとともに、使用者は、傾いた表面カバーを目視することで、空調機本体と表面カバーとの固定状態に異常が生じていることに容易に気付くことができる。
【０００８】
また、前記固定部は、前記表面カバーの上部に配置される。
【０００９】
仮に固定部が表面カバーの下部に配置される場合、固定部が空調機本体から外れたとしても、表面カバーが空調機本体の上面に引っ掛かることで、使用者は、異常に気付かないおそれがある。これに対し、表面カバーの上部に固定部が配置される場合、固定部が空調機本体から外れたときに、前面側に重心がある表面カバーは自重によって前方に倒れ込み、係止部に係止されて第２の状態となる。このように、表面カバーの上部に固定部が配置されることで、表面カバーが前方に傾き易くなるため、空調機本体と表面カバーとの固定状態に異常が生じたことを使用者に気付かせることができる。
【００１０】
また、前記係止部は、弾性を有する板状の基部と、前記基部から突出し、前記第２の状態において前記表面カバーと当接することによって前記表面カバーを係止する本体側突起部とを備え、前記空調機本体は、前記係止部の少なくとも片側に配置された剛性部材を備える。このように、係止部の少なくとも片側に剛性部材を設けることで、たとえば、表面カバーの着脱時に、弾性を有する板状の基部に表面カバーが接触し難くなるため、表面カバーの施工性、メンテナンス性を向上させることができる。
【００１１】
また、前記剛性部材の先端は、前記係止部の先端よりも前方に突出している。したがって、弾性を有する基部を保護することができる。
【００１２】
また、前記係止部は、前記空調機本体の上部に配置され、前記表面カバーは、前記空調機本体の上方を覆う上面パネルと、前記上面パネルの下面から下方に突出し、前記第２の状態において前記本体側突起部に当接するカバー側突起部とを備える。
【００１３】
空調機本体の上部に係止部が配置されるため、係止部とカバー側突起部との間に上下方向のクリアランスを取ることが容易である。また、上下方向のクリアランスを取ることで、着脱容易性を向上させることができる。また、係止部とカバー側突起部との間に上下方向のクリアランスを設けることで、表面カバーの着脱時に本体側突起部とカバー側突起部とが接触し難くなるため、表面カバーの施工性、メンテナンス性を向上させることができる。
【００１４】
また、前記係止部は、前記空調機本体の中心に対して左右方向にずれた位置に配置される。
【００１５】
表面カバーの上面は、左右方向における中心に近い場所ほど撓みやすい。このため、仮に、係止部を左右方向における中心部に配置した場合、表面カバーの撓みによって表面カバーが係止部から外れて落下するおそれがある。これに対し、空調機本体の中心に対して左右方向にずれた位置に係止部を配置することで、表面カバーの撓みによって表面カバーが係止部から外れて表面カバーが空調機本体から落下することを抑制することができる。
【００１６】
また、前記表面カバーは、前記空調機本体の前方を覆う前面パネルを備え、前記空調機本体は、前記表面カバーと前記空調機本体とによって形成される内部空間に空気を取り込むファンを備え、前記ファンの吸込口は、前記前面パネルと対向する位置に開口する。
【００１７】
これにより、固定部が空調機本体から外れた場合において、表面カバーは、ファンが駆動している場合にはファンの駆動によって内部空間に生じる負圧により第２の状態よりも前方への傾斜角度が小さい第３の状態となり、ファンが停止している場合に、第２の状態となる。このように、ファンが駆動しているときと停止しているときとで、表面カバーの状態が変化するため、空調機本体と表面カバーとの固定状態に異常が生じたことを使用者により気付かせ易くすることができる。
【発明の効果】
【００１８】
本開示によれば、空調機本体と表面カバーとの固定状態に異常が生じた場合に、異常が生じたことを使用者に気付かせることができる。
【図面の簡単な説明】
【００１９】
【図１】図１は、本開示の一実施形態に係る壁掛式空調機を前面側から見た斜視図である。
【図２】図２は、本開示の一実施形態に係る壁掛式空調機の分解斜視図である。
【図３】図３は、本開示の一実施形態に係る壁掛式空調機の背面図である。
【図４】図４は、第１の状態における係止部周辺の拡大斜視図である。
【図５】図５は、第１の状態における係止部周辺の拡大断面図である。
【図６】図６は、第２の状態における係止部周辺の拡大断面図である。
【図７】図７は、第１の状態における壁掛式空調機の側面図である。
【図８】図８は、第２の状態における壁掛式空調機の側面図である。
【図９】図９は、表面カバーの切欠部周辺の拡大断面図である。
【発明を実施するための形態】
【００２０】
以下に、本開示に係る壁掛式空調機を実施するための形態（以下、「実施形態」と記載する）について図面を参照しつつ詳細に説明する。なお、この実施形態により本開示に係る壁掛式空調機が限定されるものではない。また、各実施形態は、処理内容を矛盾させない範囲で適宜組み合わせることが可能である。また、以下の各実施形態において同一の部位には同一の符号を付し、重複する説明は省略される。
【００２１】
＜１．壁掛式空調機の全体構成＞
まず、本実施形態に係る壁掛式空調機の全体構成について図１〜図３を参照して説明する。図１は、本開示の一実施形態に係る壁掛式空調機を前面側から見た斜視図である。また、図２は、本開示の一実施形態に係る壁掛式空調機の分解斜視図であり、図３は、本開示の一実施形態に係る壁掛式空調機の背面図である。
【００２２】
以下では、位置関係を明確にするために、互いに直交するＸ軸、Ｙ軸およびＺ軸を規定し、Ｚ軸正方向を鉛直上向き方向とする。また、以下では、図１に示す壁面Ｗを背にした人物を基準とする左方（Ｙ軸負方向）、右方（Ｙ軸正方向）、前方（Ｘ軸負方向）、後方（Ｘ軸正方向）を壁掛式空調機１の「左方」、「右方」、「前方」、「後方」と規定する。したがって、たとえば、壁掛式空調機１の「左右方向」はＹ軸方向を意味し、「前後方向」はＸ軸方向を意味する。また、以下では、図１に示す壁掛式空調機１が有する面のうち前方側（Ｘ軸負方向側）の面を「前面」と記載し、後方側（Ｘ軸正方向側）の面を「背面」と記載する。
【００２３】
図１に示す壁掛式空調機１は、たとえば、浴室に隣接する洗面所や脱衣所等の隣室の壁面Ｗに設置される。壁掛式空調機１は、暖房機能を有しており、両側面に設けられた吸込口４１，４１から空気を取り込み、取り込んだ空気を加熱して前面に設けられた吹出口１３から室内に送り出す。なお、壁掛式空調機１は、吸込口４１，４１から取り込んだ空気を加熱することなく吹出口１３から室内へ送り出す送風機能を有していてもよい。
【００２４】
図１に示すように、壁掛式空調機１は、略直方体形状を有しており、左右方向が長手方向となるように壁面Ｗに取り付けられる。
【００２５】
図２に示すように、壁掛式空調機１は、バックハンガー２と、空調機本体３と、表面カバー４とを備える。
【００２６】
＜２．バックハンガー＞
バックハンガー２は、壁面Ｗに固定される金属製の部材である。バックハンガー２は、基部２０と、一対の第１係止部２１，２１と、第２係止部２２とを備え、これらは一体的に形成される。一対の第１係止部２１，２１および第２係止部２２は、たとえばフック形状を有する。
【００２７】
基部２０は、左右方向に延在する薄板状の部材である。基部２０には、複数の挿通穴２０１が基部２０の長手方向に沿って一定間隔で形成されている。バックハンガー２は、複数の挿通穴２０１のいくつかに挿通された複数のネジ２０２によって壁面Ｗに固定される。
【００２８】
＜３．空調機本体＞
空調機本体３は、ケーシング３０を備える。ケーシング３０は、壁掛式空調機１の背面を構成する部材であり、左右方向を長手方向とする。ケーシング３０は、たとえば樹脂で形成される。
【００２９】
ケーシング３０には、暖房機能や送風機能を実現するための各種機器が収容される。たとえば、ケーシング３０には、ファン１１、内部流路１２および吹出口１３が収容される。また、ケーシング３０には、図示しないヒータや温度センサ等が収容される。ファン１１は、表面カバー４と空調機本体３とによって形成される内部空間に空気を取り込む。ファン１１は、たとえばシロッコファンであり、ファン１１の吸込口１１１は、表面カバー４の前面パネル４ａと対向する位置に開口する。空調機本体３は、ファン１１が発生させる吸引力を用いて吸込口４１，４１から空気を取り込んで内部流路１２に送り込む。内部流路１２にはヒータが配置されており、内部流路１２に送り込まれた空気は、ヒータによって加熱されて吹出口１３から送り出される。なお、送風の場合は、ヒータがオフされることによって常温の空気が吹出口１３から送り出される。
【００３０】
図３に示すように、空調機本体３は、ケーシング３０の背面上部に、一対の第１被係止部３１，３１と、第２被係止部３２とを備える。一対の第１被係止部３１，３１は、一対の第１係止部２１，２１に対応する位置に配置され、一対の第１係止部２１，２１に係止される。一対の第１被係止部３１，３１が一対の第１係止部２１，２１に係止されることにより、空調機本体３は、バックハンガー２に支持された状態となる。
【００３１】
第２被係止部３２は、第２係止部２２に対応する位置に配置され、第２係止部２２に係止される。第２被係止部３２は、空調機本体３の落下防止部として機能する。具体的には、第２被係止部３２は、一対の第１被係止部３１，３１が一対の第１係止部２１，２１に係止された状態において、第２係止部２２の係止面から離間した位置に配置される。第２被係止部３２は、仮に、第１被係止部３１が第１係止部２１から外れて空調機本体３が位置ずれした場合に、第２係止部２２の係止面と当接して第２係止部２２に係止される。第２被係止部３２が第２係止部２２に係止されることにより、空調機本体３の落下を防止することができる。
【００３２】
ケーシング３０の背面下部の左右両端には、挿通穴３３が１つずつ形成されている。空調機本体３は、各挿通穴３３に挿通されたネジ３３１によって壁面Ｗに固定される。
【００３３】
ケーシング３０の上部には、一対の本体側固定部３５，３５が設けられる。各本体側固定部３５は、ケーシング３０の上部から上方に突出しており、前面には後述するネジ４５２を挿通可能な挿通口３５１が形成されている。
【００３４】
また、ケーシング３０の上部には、仮に、表面カバー４が一対の本体側固定部３５，３５から外れた場合に、一対の本体側固定部３５，３５に代わって表面カバー４を係止する係止部３６が設けられている。また、係止部３６の左右両側には、一対の剛性部材３７，３７が設けられている。これらについては、後述する。
【００３５】
＜４．表面カバー＞
表面カバー４は、壁掛式空調機１の背面以外の面、すなわち、前面、左側面、右側面、上面および下面を構成する部材であり、たとえば樹脂で形成される。具体的には、表面カバー４は、前面パネル４ａと、左側面パネル４ｂと、右側面パネル４ｃと、上面パネル４ｄと、下面パネル４ｅとを備える。前面パネル４ａは、空調機本体３の前方を覆い、左側面パネル４ｂは、空調機本体３の左側方を覆い、右側面パネル４ｃは、空調機本体３の右側方を覆い、上面パネル４ｄは、空調機本体３の上方を覆い、下面パネル４ｅは、空調機本体３の下方を覆う。
【００３６】
表面カバー４は、上面パネル４ｄに一対のカバー側固定部４５，４５を備える。一対のカバー側固定部４５，４５は、一対の本体側固定部３５，３５と対向する位置に配置されており、各カバー側固定部４５の前面には、後述するネジ４５２を挿通可能な挿通口４５１が形成されている。
【００３７】
表面カバー４の左側面パネル４ｂおよび右側面パネル４ｃには、空調機本体３と表面カバー４とによって形成される内部空間に空気を取り込むための吸込口４１，４１が形成されている。また、表面カバー４の前面パネル４ａから下面パネル４ｅにかけて、吹出口１３を露出させるための切欠部４２が形成されている。
【００３８】
＜５．施工手順＞
次に、壁掛式空調機１の施工手順について説明する。施工者は、まず、複数のネジ２０２を用いてバックハンガー２を壁面Ｗに固定する。バックハンガー２には、一対の第１係止部２１，２１と第２係止部２２とが一体的に形成されるため、第２係止部２２が設けられていないバックハンガーと同様の施工手順でバックハンガー２を固定することができる。言い換えれば、第２係止部２２を取り付けるための別途の手順を必要としない。また、第２係止部２２を施工し忘れることもない。
【００３９】
つづいて、施工者は、バックハンガー２に形成された一対の第１係止部２１，２１に、空調機本体３を引っ掛ける。具体的には、空調機本体３の背面に形成された一対の第１被係止部３１，３１の各第１被係止面３１１を一対の第１係止部２１，２１の各第１係止面２１１と当接させることにより、一対の第１被係止部３１，３１を一対の第１係止部２１，２１に係止させる。これにより、空調機本体３がバックハンガー２に支持された状態となる。その後、施工者は、ケーシング３０下部の左右２箇所に設けられた２つの挿通穴３３にそれぞれネジ３３１を挿通し、各ネジ３３１を壁面Ｗに固定する。これにより、空調機本体３が壁面Ｗに固定される。
【００４０】
つづいて、施工者は、空調機本体３に表面カバー４を取り付ける。具体的には、施工者は、まず、表面カバー４を空調機本体３に前面側から装着する。これにより、本体側固定部３５に設けられた挿通口３５１と、カバー側固定部４５に設けられた挿通口４５１とが同一軸線上に配置される。その後、施工者は、表面カバー４の前面側から挿通口３５１，４５１に対してネジ４５２を挿通することによって、表面カバー４を空調機本体３に固定する。これにより、表面カバー４は、空調機本体３に取り付けられた状態となり、壁掛式空調機１の壁面Ｗへの設置が完了する。
【００４１】
以下では、カバー側固定部４５が空調機本体３の本体側固定部３５に固定されることによって表面カバー４が空調機本体３に取り付けられた状態を第１の状態と呼ぶ。第１の状態において、表面カバー４の前面パネル４ａ、左側面パネル４ｂおよび右側面パネル４ｃは、垂直面と平行であり、上面パネル４ｄおよび下面パネル４ｅは、水平面と平行である。
【００４２】
＜６．表面カバーの落下防止機能について＞
壁掛式空調機においては、たとえば子供がぶら下がるなどして表面カバーに想定外の力が加えられた場合に、表面カバーと空調機本体との固定部分が破損する可能性がある。上記固定部分が破損すると、表面カバーが空調機本体に正常に取り付けられた状態が保たれなくなる。そうすると、前面側に重心がある表面カバーは、自重によって前方に倒れ込みながら落下することとなる。また、落下しない場合であっても、空調機本体と表面カバーとの固定状態に異常が生じていることに使用者が気付かない可能性がある。特に、表面カバーと空調機本体との固定部分が壁掛式空調機の下側に設けられている場合、固定部分が破損したとしても、空調機本体の上面に表面カバーが引っ掛かった状態となることで、使用者が固定部分の破損に気付かない可能性がある。
【００４３】
本実施形態に係る壁掛式空調機１は、たとえば本体側固定部３５またはカバー側固定部４５が破損することによってカバー側固定部４５が空調機本体３から外れた場合（つまり、ネジ固定された状態が解除された場合）に、第１の状態よりも表面カバー４が前方に傾いた第２の状態で表面カバー４を係止する係止部３６を空調機本体３に備えている。これにより、表面カバー４の落下を防止することができるとともに、使用者は、傾いた表面カバー４を目視することで、空調機本体３と表面カバー４との固定状態に異常が生じていることに容易に気付くことができる。
【００４４】
この点について図４〜図９を参照して説明する。図４は、第１の状態における係止部３６周辺の拡大斜視図である。また、図５は、第１の状態における係止部３６周辺の拡大断面図であり、図６は、第２の状態における係止部３６周辺の拡大断面図である。また、図７は、第１の状態における壁掛式空調機１の側面図であり、図８は、第２の状態における壁掛式空調機１の側面図である。また、図９は、表面カバー４の切欠部４２周辺の構成を示す拡大断面図である。
【００４５】
図４に示すように、係止部３６は、空調機本体３におけるケーシング３０の上部に設けられる。係止部３６は、弾性を有し、前方に向かって突出する板状の基部３６１と、基部３６１の上面から突出する本体側突起部３６２とを備える。本体側突起部３６２は、基部３６１の上面から上方に向かって延びる当接面３６３と、当接面３６３の上端から前方に向かって下り傾斜する傾斜面３６４とを有する。
【００４６】
一方、表面カバー４は、上面パネル４ｄの下面から突出するカバー側突起部４０１を有する。カバー側突起部４０１は、下方に向かって延びる当接面４１１と、当接面４１１の下端から後方に向かって上り傾斜する傾斜面４１２とを有する。
【００４７】
図５に示すように、空調機本体３に対して表面カバー４が適切に取り付けられた第１の状態において、本体側突起部３６２の当接面３６３は、カバー側突起部４０１の当接面４１１から前方方向に離間した位置に配置される。すなわち、第１の状態において、本体側突起部３６２の当接面３６３は、カバー側突起部４０１の当接面４１１と接触していないため、係止部３６に負荷が掛かることを抑制することができる。
【００４８】
また、第１の状態において、カバー側突起部４０１は、係止部３６の基部３６１から上方に離間した位置に配置される。このように、係止部３６とカバー側突起部４０１との間に上下方向のクリアランスを設けることで、表面カバー４の着脱時に本体側突起部３６２とカバー側突起部４０１とが接触し難くなるため、表面カバー４の施工性、メンテナンス性を向上させることができる。
【００４９】
係止部３６は、空調機本体３の上部に設けられているため、カバー側突起部４０１との間に上下方向のクリアランスを設けることが容易である。すなわち、カバー側固定部４５が本体側固定部３５から外れたとき、表面カバー４が前方に傾くことでカバー側突起部４０１の位置が下方にずれるため、係止部３６とカバー側突起部４０１との間に上下方向のクリアランスを設けていても、係止部３６とカバー側突起部４０１とを当接させることが可能である。
【００５０】
また、仮に係止部３６を空調機本体３の側面（ここでは、左側面とする）に設けたとすると、表面カバー４を空調機本体３に取り付ける際に、表面カバー４の左側面パネル４ｂに設けられたカバー側突起部４０１に係止部３６が引っ掛からないように表面カバー４を変形させながら空調機本体３に取り付ける必要があり、表面カバー４が破損するおそれがある。これに対し、係止部３６を空調機本体３の上部に設けることで、表面カバー４の取り付け時に表面カバー４を変形させることなく、あるいは、少ない変形量にて空調機本体３に取り付けることができる。
【００５１】
ケーシング３０には、電源ケーブル等の配線（図示せず）を挿通させる挿通口３９が設けられており、係止部３６は挿通口３９の上方に設けられている。このように、挿通口３９の上方に係止部３６を設けることで、係止部３６を電源ケーブル等の配線のガイドとして機能させることができる。
【００５２】
係止部３６の左右両側には、一対の剛性部材３７，３７が係止部３６と一定の間隔をあけて配置される。各剛性部材３７は、係止部３６よりも前方および上方に突出している。第１の状態において、各剛性部材３７の上端は、表面カバー４における上面パネル４ｄの下面よりも低い位置に配置される。また、第１の状態において、カバー側突起部４０１の下端は、各剛性部材３７の上端よりも低い位置に配置される。
【００５３】
空調機本体３に表面カバー４を取り付ける際、表面カバー４のカバー側突起部４０１は、空調機本体３の前方側から一対の剛性部材３７，３７に挟まれた空間に進入し、空調機本体３の後方側へ進んでいく。このように、係止部３６の両側に一対の剛性部材３７，３７を設けることで、たとえば、表面カバー４の着脱時に、弾性を有する基部３６１に表面カバー４が接触し難くなるため、表面カバー４の施工性、メンテナンス性を向上させることができる。
【００５４】
カバー側突起部４０１は、係止部３６の本体側突起部３６２と接触するが、係止部３６の基部３６１が弾性により下方に撓むことで、本体側突起部３６２を乗り越えて空調機本体３の後方側へ進むことができる。上述したように、係止部３６とカバー側突起部４０１との間には上下方向のクリアランスが設けられている。また、本体側突起部３６２およびカバー側突起部４０１は傾斜面３６４，４１２を有する。したがって、カバー側突起部４０１は、本体側突起部３６２を容易に乗り越えることができる。
【００５５】
また、一対の剛性部材３７，３７の先端は、係止部３６の先端よりも前方に突出している。また、一対の剛性部材３７，３７の上端は、係止部３６の上端よりも上方に突出している。したがって、一対の剛性部材３７，３７は、弾性を有する基部３６１を保護することができる。
【００５６】
その後、カバー側固定部４５と本体側固定部３５とがネジ４５２により固定されることで、表面カバー４は空調機本体３に取り付けられた第１の状態となる。
【００５７】
第１の状態において、ネジ４５２が抜け落ちたり、あるいは、カバー側固定部４５または本体側固定部３５が破損したりすると、表面カバー４は前方に倒れ込む。表面カバー４が前方に倒れ込むことで、図６に示すように、カバー側突起部４０１の当接面４１１が本体側突起部３６２の当接面３６３と当接する。これにより、表面カバー４が空調機本体３から落下することを防止することができる。
【００５８】
このように、表面カバー４は、カバー側固定部４５が空調機本体３から外れた場合に、図７に示す第１の状態よりも前方に傾いた第２の状態で空調機本体３に係止される（図８参照）。したがって、使用者は、空調機本体３と表面カバー４との固定状態に異常が生じたことを容易に気付くことができる。
【００５９】
また、本体側突起部３６２およびカバー側突起部４０１は、左右方向に幅広に形成されている。したがって、表面カバー４が左右方向にずれたとしても第２の状態を維持することができる。したがって、表面カバー４の落下をより確実に防止することができる。
【００６０】
表面カバー４の上面パネル４ｄは、左右方向における中心に近い場所ほど撓みやすい。このため、仮に、カバー側突起部４０１を上面パネル４ｄの左右方向における中心位置に設けた場合、上面パネル４ｄの撓みによってカバー側突起部４０１が本体側突起部３６２から外れて表面カバー４が空調機本体３から落下するおそれがある。これに対し、本実施形態において、カバー側突起部４０１は、表面カバー４の中心に対して左右方向（ここでは、左方）にずれた位置に配置され、係止部３６も、空調機本体３の中心に対して左右方向（ここでは、左方）にずれた位置に配置される（図２参照）。これにより、上面パネル４ｄの撓みによってカバー側突起部４０１が本体側突起部３６２から外れて表面カバー４が空調機本体３から落下することを抑制することができる。また、上面パネル４ｄが撓むことで、カバー側突起部４０１と係止部３６との上下方向におけるクリアランスが短くなり、表面カバー４を空調機本体３に取り付けにくくなることを抑制することもできる。
【００６１】
なお、仮に、空調機本体３の左右方向における端部に近い位置に係止部３６を設けた場合、第２の状態において表面カバー４が前方以外の方向にも傾いてしまうおそれがあり、表面カバー４を安定的に係止することが難しくなる。したがって、係止部３６は、空調機本体３の左右方向における中心と端部との中間位置に設けられることが好ましい。
【００６２】
ファン１１が駆動しているとき、表面カバー４と空調機本体３とによって形成される内部空間は、ファン１１が発生させる吸引力によって負圧となる。表面カバー４と空調機本体３とによって形成される内部空間が負圧となることで、表面カバー４は後方に引っ張られる。したがって、カバー側固定部４５，４５が空調機本体３から外れている状態において、表面カバー４は、ファン１１が駆動しているときには、図８に示す第２の状態から、第２の状態よりも前方への傾斜角度が小さい第３の状態、たとえば、図７に示す状態となる。そして、ファン１１が停止すると、表面カバー４は図８に示す第２の状態となる。
【００６３】
このように、ファン１１が駆動しているときと停止しているときとで、表面カバー４の状態が変化するため、使用者は、空調機本体３と表面カバー４との固定状態に異常が生じたことに容易に気付くことができる。
【００６４】
図９は、表面カバー４の切欠部４２周辺の拡大断面図である。図９に示すように、前面パネル４ａに設けられる切欠部４２の上縁は、後方側から前方側に向かって下り傾斜する傾斜面４２１を有している。また、下面パネル４ｅに設けられる切欠部４２の下縁も、後方側から前方側に向かって下り傾斜する傾斜面４２２を有している。このように、切欠部４２の上縁および下縁に傾斜面４２１，４２２を設けることで、カバー側固定部４５が空調機本体３から外れた場合に、表面カバー４をより前方に傾かせることができる。また、表面カバー４の着脱が容易となる。
【００６５】
上述してきたように、本開示の一実施形態に係る壁掛式空調機１は、空調機本体３と、表面カバー４とを備える。空調機本体３は、壁面Ｗに固定される。表面カバー４は、空調機本体３を覆うように取り付けられる。また、表面カバー４は、空調機本体３への固定部であるカバー側固定部４５を備え、カバー側固定部４５よって空調機本体３に固定されることにより空調機本体３に取り付けられた第１の状態となる。そして、空調機本体３は、カバー側固定部４５が空調機本体３から外れた場合に、第１の状態よりも表面カバー４が前方に傾いた第２の状態で表面カバー４を係止する係止部３６を備える。
【００６６】
したがって、本開示の一実施形態に係る壁掛式空調機１によれば、空調機本体３と表面カバー４との固定状態に異常が生じた場合に、異常が生じたことを使用者に気付かせることができる。
【００６７】
＜７．変形例＞
上述した実施形態では、壁掛式空調機１が１つの係止部３６を備える場合の例について説明したが、壁掛式空調機１は、複数の係止部３６を備えていてもよい。たとえば、壁掛式空調機１は、一対の本体側固定部３５のうち左側の本体側固定部３５のさらに左側と、右側の本体側固定部３５のさらに右側とに係止部３６を１つずつ備えていてもよい。このように、一対の係止部３６，３６を備えることで、第２の状態において、表面カバー４をより安定して係止しておくことができる。
【００６８】
また、上述した実施形態では、空調機本体３の上部に係止部３６が設けられる場合の例について説明したが、係止部３６は、必ずしも空調機本体３の上部に設けられることを要さず、たとえば、空調機本体３の側部に設けられてもよい。
【００６９】
また、上述した実施形態では、係止部３６の左右両側に剛性部材３７が設けられる場合の例について説明したが、剛性部材３７は、係止部３６の片側にのみ設けられてもよい。
【００７０】
また、上述した実施形態では、壁掛式空調機１が、浴室に隣接する洗面所や脱衣所等の隣室の壁面Ｗに設置される場合の例について説明したが、壁掛式空調機１の設置場所は、上記隣室に限定されない。また、上述した実施形態では、壁掛式空調機１が暖房機能を有する場合の例について説明したが、壁掛式空調機１は、暖房機能以外の空気調節機能を有する空調機であってもよい。
【００７１】
今回開示された実施形態は全ての点で例示であって制限的なものではないと考えられるべきである。実に、上記した実施形態は多様な形態で具現され得る。また、上記の実施形態は、添付の請求お範囲及びその趣旨を逸脱することなく、様々な形態で省略、置換、変更されてもよい。
【符号の説明】
【００７２】
１  壁掛式空調機
２  バックハンガー
３  空調機本体
４  表面カバー
４ａ  前面パネル
４ｂ  左側面パネル
４ｃ  右側面パネル
４ｄ  上面パネル
４ｅ  下面パネル
３５  本体側固定部
３６  係止部
３７  剛性部材
４５  カバー側固定部
４０１  カバー側突起部
【図１】
2019168142.tif 000003
【図２】
2019168142.tif 000004
【図３】
2019168142.tif 000005
【図４】
2019168142.tif 000006
【図５】
2019168142.tif 000007
【図６】
2019168142.tif 000008
【図７】
2019168142.tif 000009
【図８】
2019168142.tif 000010
【図９】
2019168142.tif 000011